(57)【要約】  本発明は、ボルト状の超音波アンカ（１）に関する。この超音波アンカ（１）は、前方の端部で環状段部（３）によって目標分離箇所（６）を介して一体に円錐台形の拡開体（４）に移行していて、風車状に配置されたスリット（５）を拡開体（４）の錐面に備えている。環状段部（３）と一緒にスリット（５）は目標分離箇所（６）を形成している。超音波負荷によって、拡開体（４）が目標分離箇所（６）で超音波アンカ（１）から分離され、この超音波アンカ（１）が拡開体（４）に被せられ、この場合、拡開される。付加的に超音波負荷によって、超音波アンカ（１）と拡開体（４）との溶接および穿設孔内での焼結が生ぜしめられる。
2010506064.tif 000002
【特許請求の範囲】
【請求項１】
ボルト状の超音波アンカにおいて、当該超音波アンカ（１）が、その前方の端部に向かって拡幅する拡開体（４）を当該超音波アンカ（１）の前方の端部に有しており、拡開体（４）が、目標分離箇所（６）を介して当該超音波アンカ（１）と一体であり、当該超音波アンカ（１）が、少なくとも１つのスリット（５）を有しており、該スリット（５）が、拡開体（４）の後方の端部からある程度長手方向で当該超音波アンカ（１）内に延びていることを特徴とする、ボルト状の超音波アンカ。
【請求項２】
拡開体（４）が、楔状、円錐台形または角錐台形である、請求項１記載の超音波アンカ。
【請求項３】
当該超音波アンカ（１）が、拡開体（４）に段状に移行している、請求項１記載の超音波アンカ。
【請求項４】
少なくとも１つのスリット（５）が平らである、請求項１記載の超音波アンカ。
【請求項５】
少なくとも１つのスリット（５）が、拡開体（４）の拡開面（７）の延長部に延びている、請求項１記載の超音波アンカ。
【請求項６】
少なくとも１つのスリット（５）が、横方向に当該超音波アンカ（１）を貫通していない、請求項１記載の超音波アンカ。
【請求項７】
当該超音波アンカ（１）が、スリット（５）を有しており、該スリット（５）が、当該超音波アンカ（１）の周方向に互いにずらされている、請求項１記載の超音波アンカ。
【請求項８】
超音波アンカを取り付けるための方法において、超音波アンカ（１）が、その前方の端部に向かって拡幅する拡開体（４）を超音波アンカ（１）の前方の端部に有しており、拡開体（４）が、目標分離箇所（６）を介して超音波アンカ（１）と一体であり、該超音波アンカ（１）が、少なくとも１つのスリット（５）を有しており、該スリット（５）が、拡開体（４）の後方の端部からある程度長手方向で超音波アンカ（１）内に延びており、超音波アンカ（１）を盲孔内に挿入し、これによって、超音波アンカ（１）の拡開体（４）を盲孔の底に載置させ、超音波アンカ（１）を超音波振動で負荷し、これによって、拡開体（４）を目標分離箇所（６）で残りの超音波アンカ（１）から分離し、該残りの超音波アンカ（１）をその少なくとも１つのスリット（５）で、拡幅された拡開体（４）に被せ、この場合、該拡開体（４）によって拡開させることを特徴とする、超音波アンカを取り付けるための方法。
【請求項９】
残りの超音波アンカ（１）から切り離された拡開体（４）を少なくとも１つのスリット（５）内で超音波アンカ（１）に溶接しかつ／または拡開された領域で孔壁に焼結する、請求項８記載の超音波アンカ。
【発明の詳細な説明】
【技術分野】
【０００１】
本発明は、ボルト状の超音波アンカに関する。
【０００２】
さらに、本発明は、超音波アンカを取り付けるための方法に関する。
【０００３】
超音波アンカとは、超音波範囲内の振動による負荷によって取り付けられるアンカを意味している。
【０００４】
本発明の課題は、超音波アンカ固定のために適した超音波アンカと、この超音波アンカのために適した取付け法とを提案することである。
【０００５】
この課題を解決するために本発明の超音波アンカでは、当該超音波アンカが、その前方の端部に向かって拡幅する拡開体を当該超音波アンカの前方の端部に有しており、拡開体が、目標分離箇所を介して当該超音波アンカと一体であり、当該超音波アンカが、少なくとも１つのスリットを有しており、該スリットが、拡開体の後方の端部からある程度長手方向で当該超音波アンカ内に延びているようにした。
【０００６】
本発明の超音波アンカの有利な構成によれば、拡開体が、楔状、円錐台形または角錐台形である。
【０００７】
本発明の超音波アンカの有利な構成によれば、当該超音波アンカが、拡開体に段状に移行している。
【０００８】
本発明の超音波アンカの有利な構成によれば、少なくとも１つのスリットが平らである。
【０００９】
本発明の超音波アンカの有利な構成によれば、少なくとも１つのスリットが、拡開体の拡開面の延長部に延びている。
【００１０】
本発明の超音波アンカの有利な構成によれば、少なくとも１つのスリットが、横方向に当該超音波アンカを貫通していない。
【００１１】
本発明の超音波アンカの有利な構成によれば、当該超音波アンカが、スリットを有しており、該スリットが、当該超音波アンカの周方向に互いにずらされている。
【００１２】
さらに、前記課題を解決するために本発明の方法では、超音波アンカが、その前方の端部に向かって拡幅する拡開体を超音波アンカの前方の端部に有しており、拡開体が、目標分離箇所を介して超音波アンカと一体であり、該超音波アンカが、少なくとも１つのスリットを有しており、該スリットが、拡開体の後方の端部からある程度長手方向で超音波アンカ内に延びており、超音波アンカを盲孔内に挿入し、これによって、超音波アンカの拡開体を盲孔の底に載置させ、超音波アンカを超音波振動で負荷し、これによって、拡開体を目標分離箇所で残りの超音波アンカから分離し、該残りの超音波アンカをその少なくとも１つのスリットで、拡幅された拡開体に被せ、この場合、該拡開体によって拡開させるようにした。
【００１３】
本発明の方法の有利な実施態様によれば、残りの超音波アンカから切り離された拡開体を少なくとも１つのスリット内で超音波アンカに溶接しかつ／または拡開された領域で孔壁に焼結する。
【００１４】
本発明による超音波アンカはボルト状であり、前方の端部に設けられた拡開体を有している。この拡開体は前方の端部の方向に拡幅されている。前方の端部とは、最初に超音波アンカが、アンカ固定基礎に設けられた盲孔内に挿入される超音波アンカの端部もしくは超音波アンカの拡開体の端部である。後方の端部では、超音波アンカがアンカ固定のために超音波穿孔機械に締め込まれる。この場合、超音波穿孔機械とは、実際に穿孔過程が行われるかどうかに関係なく、超音波アンカを超音波振動、特に縦振動で負荷する機械を意味している。拡開体は、たとえば楔状、円錐台形または角錐台形であってよい。拡開体は目標分離箇所を介して超音波アンカと一体である。拡開可能性に対して、超音波アンカは少なくとも１つのスリットを有している。このスリットは、拡開体の後方の端部から出発して、ある程度長手方向で超音波アンカ内に延びている。すなわち、少なくとも１つのスリットが、超音波アンカから拡開体への移行部で始まっていて、そこからある程度超音波アンカの後方の端部の方向に延びている。目標分離箇所は必ずしも正確に位置決めされている必要はない。目標分離箇所は横断面弱化部、たとえば超音波アンカのベースボディから拡開体への移行部に設けられたネックおよび／または少なくとも１つのスリットによって形成されている。また、付加的な切欠き、スリット、ネック、孔またはこれに類するものも目標分離箇所の形成のために可能である。
【００１５】
超音波アンカが、アンカ固定基礎に設けられた盲孔内に挿入されており、超音波アンカの拡開体が盲孔の底に載置している場合に、超音波アンカの超音波負荷によって、超音波アンカの拡開体が残りの超音波アンカから分離され、超音波アンカが、少なくとも１つのスリットを有する前方の領域で、盲孔の底に支持された拡開体に押し被せられる。この拡開体の、先細りにされた後方の端部が、超音波アンカの少なくとも１つのスリット内に達し、超音波アンカを拡開する。超音波負荷と拡開とによって、超音波アンカがアンカ固定基礎内に侵入し、形状接続的にかつ摩擦接続的にアンカ固定基礎内にアンカ固定される。有利には、残りの超音波アンカから切り離された拡開体が少なくとも１つのスリット内で超音波アンカに溶接し、これによって、拡開が不可逆的となる。付加的にまたは拡開体と超音波アンカとの溶接の代わりに、超音波負荷が、超音波アンカとアンカ固定基礎との焼結を生ぜしめることができる。これによって、付加的に材料接続によるアンカ固定が行われる。アンカ固定の故障は、超音波アンカの裂断またはアンカ固定基礎の破損によってしか起こり得ない。アンカ固定基礎内に焼結された超音波アンカの材料接続によって、超音波アンカの負荷時のアンカ固定力が大面状にかつ均一にアンカ固定基礎内に導入される。このことは、アンカ固定基礎の破損に抗して作用する。
【００１６】
本発明の更なる利点は、ただ１つの部材から成る超音波アンカの簡単なかつ廉価な製作可能性である。
【００１７】
拡開体と目標分離箇所とを形成するために、本発明の構成は、超音波アンカが拡開体に段状に移行していることを提案する。
【００１８】
有利には、少なくとも１つのスリットが平らであり、これによって、たとえばソーイングすることができる。
【００１９】
本発明の構成は、少なくとも１つのスリットが拡開体の拡開面の延長部に延びていることを提案する。円錐台形のまたは角錐台形の拡開体では、スリットが拡開体の母線に延びている。すなわち、スリットが拡開体の長手方向に延びておらず、超音波アンカに対する拡開体の（半分の）角錐角または円錐角に延びている。これによって、少なくとも１つのスリットが、内方に向けられた斜面を形成している。この斜面で超音波アンカが拡開時に拡開体に対して滑動する。少なくとも１つのスリットの位置および方向付けによって、拡開体が目標分離箇所での切離し後に少なくとも１つのスリット内に侵入し、超音波アンカをその前方の領域で拡開させることが達成される。
【００２０】
特に超音波アンカが複数のスリットを有している場合、本発明の構成は、拡開体が超音波アンカに結合されているように、スリットが横方向に超音波アンカを貫通していないことを提案する。複数のスリットは、本発明の構成によれば、周方向に互いにずらされて、すなわち、たとえば、円錐台形のまたは角錐台形の拡開体に続く仮想円錐体の錐面に配置されている。この場合、スリットは、仮想角錐体の頂点を越えて延長されていてよい。
【００２１】
請求項８および９記載の本発明による方法は、請求項１の説明に相俟って上述してある。
【図面の簡単な説明】
【００２２】
【図１】本発明による超音波アンカを斜め前方から見た斜視図である。
【図２】図１に示した超音波アンカの側面図である。
【図３】図２に示したＩＩＩ−ＩＩＩ線に沿った超音波アンカの軸方向断面図である。
【図４】図６に示したＩＶ−ＩＶ線に沿った図１に示した超音波アンカの縦断面図である。
【図５】図２に示したＶ−Ｖ線に沿った図１に示した超音波アンカの斜断面図である。
【図６】図２に示したＶＩ−ＶＩ線に沿った図１に示した超音波アンカの横断面図である。
【００２３】
本発明を、以下に、図面に示した実施例につき詳しく説明する。
【００２４】
図面に示した本発明による超音波アンカ１は、円筒状のボルトの形を有している。超音波アンカ１の後方の端部は、超音波穿孔機械（図示せず）に締め込むためのねじ山を有している。前方の端部の近傍では、超音波アンカ１が環状段部３で円錐台形体に移行している。この円錐台形体は、超音波アンカ１の前方の端部に向かって本来のボルト直径に拡幅されている。円錐台形体は、超音波アンカ１と一体の拡開体４を形成している。環状段部３から出発して、すなわち、円錐台形の拡開体４の後方の端部から出発して、円筒状の超音波アンカ１は４つのスリット５を有している。これらのスリット５は風車の羽根状に全周にわたって分配されて配置されていて、ある程度長手方向でもしくは長手方向に対して斜めに所定の角度を成して超音波アンカ１内に延びている。スリット５は平らに形成されていて、円錐台形の拡開体４に対して接線方向レベルに配置されている。これは、スリット５が、正方形の底面を備えた仮想角錐体の側面で円錐台形の拡開体４の延長部に延びていることを意味している。この場合、スリット５は仮想角錐体の頂点を越えて延びている。特に図５に見ることができるように、スリット５は横方向に超音波アンカ１を貫通しておらず、超音波アンカ１の長手方向中心にまでしか達しておらず、円弧状に終わっている。これによって、スリット５が互いに交差していない。
【００２５】
円筒状の部分から円錐台形の拡開体４への移行部における超音波アンカ１の段状の横断面先細り部と、スリット５とによって、超音波アンカ１の横断面が拡開体４の後方の端部で弱化されており、スリット５と、拡開体４の後方の端部における環状段部３との領域に目標分離箇所６が形成されている。円錐台形の拡開体４の錐面は、本発明による超音波アンカ１の拡開面７を形成している。
【００２６】
本発明による超音波アンカ１は、中実建設材料、たとえばコンクリート、硅灰煉瓦または中実煉瓦にアンカ固定するために設けられていて、適している。アンカ固定のためには、盲孔がアンカ固定基礎（図示せず）に穿孔され、超音波アンカ１がそのねじ山２で超音波穿孔機械（図示せず）またはこれに類するものに締め込まれる。拡開体４でまず、この拡開体４が盲孔の底に載置するまで、超音波穿孔機械に締め込まれた超音波アンカ１が、アンカ固定基礎に設けられた盲孔内に挿入される。超音波アンカ１が超音波縦波で負荷される。これによって、拡開体４が目標分離箇所６で残りの超音波アンカ１から分離され、超音波アンカ１が拡開体４に押し被せられる。スリット５によって、内側の斜面が形成されている。この斜面で超音波アンカ１は拡開体４の錐面に対して滑動する。この錐面は拡開面７を形成している。拡開体４に押し被せることによって、超音波アンカ１の、スリット５を有する前方の領域が拡開される。超音波負荷によって、拡開された領域が盲孔の壁内に斫り式に打ち込まれる。拡開によって、超音波アンカ１が、盲孔の壁内への打込みによって摩擦接続的に盲孔内に形状接続的にアンカ固定されている。超音波負荷によって、超音波アンカ１の、スリット５を有する拡開された前方の領域が拡開体４に溶接し、これによって、拡開が不可逆的となる。さらに、盲孔の壁内に打ち込まれた拡開された領域がアンカ固定基礎に焼結する。これによって、付加的に超音波アンカ１とアンカ固定基礎との材料接続が生ぜしめられる。
【符号の説明】
【００２７】
１  超音波アンカ
２  ねじ山
３  環状段部
４  拡開体
５  スリット
６  目標分離箇所
７  拡開面
【図１】
2010506064.tif 000003
【図２】
2010506064.tif 000004
【図３】
2010506064.tif 000005
【図４】
2010506064.tif 000006
【図５】
2010506064.tif 000007
【図６】
2010506064.tif 000008
【国際調査報告】
2010506064.tif 000009
2010506064.tif 000010
2010506064.tif 000011
2010506064.tif 000012